(57)【要約】【課題】光ファイバーケーブルを引っ張る等外部からの力が加わっても雌側の光コネクタが固定されている部分が緩むことのない光ファイバー用コンセントを提供する。【解決手段】雄側の光コネクタである光プラグ１が抜き差し可能な雌側の光コネクタである光レセプタクル２を箱状のケース３内に収納した光ファイバー用コンセントであって、光ファイバーケーブル１０の外皮及び光ファイバーケーブル１０の先端に取り付けられたプラグ１０ａの後端を把持する外皮把持部６と、光レセプタクル２及び外皮把持部６をそれぞれ固定する固定手段とをケース３内に備えた。【選択図】図１
2007192933.tif 000002
【特許請求の範囲】
【請求項１】
雄側の光コネクタが抜き差し可能な雌側の光コネクタを箱状のケース内に収納した光ファイバー用コンセントであって、光ファイバーケーブルの外皮及び雌側の光コネクタを把持する外皮把持部と、雌側の光コネクタ及び外皮把持部をそれぞれ固定する固定手段とをケース内に備えたことを特徴とする光ファイバー用コンセント。
【請求項２】
前記ケースは、各々一面が開口された箱体から成るボディ及びカバーのそれぞれの開口面を突き合わせて構成され、前記固定手段として、雄側の光コネクタを抜き差しする方向と直交し且つボディ及びカバーの結合する方向において雌側の光コネクタ及び外皮把持部を挟持して固定する固定部をボディ及びカバーにそれぞれ備えたことを特徴とする請求項１記載の光ファイバー用コンセント。
【請求項３】
前記固定手段として、雄側の光コネクタを抜き差しする方向とボディ及びカバーの結合する方向の何れとも直交する方向において雌側の光コネクタ及び外皮把持部と当接する当接部をボディ及びカバーの少なくとも何れか一方に備えたことを特徴とする請求項２記載の光ファイバー用コンセント。
【請求項４】
前記固定手段として、雄側の光コネクタを抜き差しする方向において外皮把持部と当接する止め部をボディ及びカバーの少なくとも何れか一方に備えたことを特徴とする請求項２記載の光ファイバー用コンセント。
【発明の詳細な説明】
【技術分野】
【０００１】
本発明は、壁面のような施工面に露出した形で設置される光ファイバー用コンセントに関する。
【背景技術】
【０００２】
従来、壁や床等の施工面に取り付けられる光ファイバー用コンセントとして、例えば特許文献１に開示されているようなものがあった。この光ファイバー用コンセントは、ボディと、該ボディの前方へ突出自在にボディの前部に装着され、ボディに光ファイバー用レセプタクルを収納した状態で前面が壁等の造営材の取付面と平行する平坦面となるカバーと、カバーに取り付けられてカバーの前方突出時にプラグ接続口をボディ外に臨ませる光ファイバー用レセプタクルと、カバーをボディの前方へ突出させる方向に常時付勢する付勢手段及びボディ内に光ファイバー用レセプタクルを収納した状態を保持する保持手段から成り、該保持手段の保持が解除された時にカバーをボディ前方へ突出させるポップアップ機構とから成る。
【特許文献１】特開２００５−７０３４０号公報
【発明の開示】
【発明が解決しようとする課題】
【０００３】
しかしながら、上記従来例では、光ファイバー用レセプタクル（雌側の光コネクタ）のみがカバーに固定されているので、光ファイバーケーブルを引き回したり足を引掛ける等の外部からの力が加わった場合に、光ファイバーケーブルに引張り力が働いて雌側の光コネクタが固定されている部分に緩みが生じるという問題があった。
【０００４】
本発明は、上記の点に鑑みて為されたもので、光ファイバーケーブルを引っ張る等外部からの力が加わっても雌側の光コネクタが固定されている部分が緩むことのない光ファイバー用コンセントを提供することを目的とする。
【課題を解決するための手段】
【０００５】
請求項１の発明は、上記目的を達成するために、雄側の光コネクタが抜き差し可能な雌側の光コネクタを箱状のケース内に収納した光ファイバー用コンセントであって、光ファイバーケーブルの外皮及び雌側の光コネクタを把持する外皮把持部と、雌側の光コネクタ及び外皮把持部をそれぞれ固定する固定手段とをケース内に備えたことを特徴とする。
【０００６】
請求項２の発明は、請求項１の発明において、ケースは、各々一面が開口された箱体から成るボディ及びカバーのそれぞれの開口面を突き合わせて構成され、固定手段として、雄側の光コネクタを抜き差しする方向と直交し且つボディ及びカバーの結合する方向において雌側の光コネクタ及び外皮把持部を挟持して固定する固定部をボディ及びカバーにそれぞれ備えたことを特徴とする。
【０００７】
請求項３の発明は、請求項２の発明において、固定手段として、雄側の光コネクタを抜き差しする方向とボディ及びカバーの結合する方向の何れとも直交する方向において雌側の光コネクタ及び外皮把持部と当接する当接部をボディ及びカバーの少なくとも何れか一方に備えたことを特徴とする。
【０００８】
請求項４の発明は、請求項２の発明において、固定手段として、雄側の光コネクタを抜き差しする方向において外皮把持部と当接する止め部をボディ及びカバーの少なくとも何れか一方に備えたことを特徴とする。
【発明の効果】
【０００９】
請求項１の発明によれば、雄側の光コネクタが抜き差し可能な雌側の光コネクタを箱状のケース内に収納した光ファイバー用コンセントであって、光ファイバーケーブルの外皮及び雌側の光コネクタを把持する外皮把持部と、雌側の光コネクタ及び外皮把持部をそれぞれ固定する固定手段とをケース内に備えたので、光ファイバーケーブルを引張る等の外部からの力が加わっても雌側の光コネクタ及び外皮把持部が固定されている部分に緩みが生じにくい。
【００１０】
請求項２の発明によれば、ケースは、各々一面が開口された箱体から成るボディ及びカバーのそれぞれの開口面を突き合わせて構成され、固定手段として、雄側の光コネクタを抜き差しする方向と直交し且つボディ及びカバーの結合する方向において雌側の光コネクタ及び外皮把持部を挟持して固定する固定部をボディ及びカバーにそれぞれ備えたので、雌側の光コネクタ及び外皮把持部を雄側の光コネクタを抜き差しする方向と直交し且つボディ及びカバーの結合する方向において雌側の光コネクタ及び外皮把持部をより確実に固定することができる。
【００１１】
請求項３の発明によれば、固定手段として、雄側の光コネクタを抜き差しする方向とボディ及びカバーの結合する方向の何れとも直交する方向において雌側の光コネクタ及び外皮把持部と当接する当接部をボディ及びカバーの少なくとも何れか一方に備えたので、雄側の光コネクタを抜き差しする方向とボディ及びカバーの結合する方向と何れとも直交する方向において雌側の光コネクタ及び外皮把持部をより確実に固定することができる。
【００１２】
請求項４の発明によれば、固定手段として、雄側の光コネクタを抜き差しする方向において外皮把持部と当接する止め部をボディ及びカバーの少なくとも何れか一方に備えたので、雄側の光コネクタを抜き差しする方向において雌側の光コネクタ及び外皮把持部をより確実に固定することができる。
【発明を実施するための最良の形態】
【００１３】
以下、本発明の実施形態について図面を用いて説明する。尚、以下の説明では、ボディ４の長手方向において、図１における手前側を前方向、奥側を後方向とし、ボディ４の短手方向において、図１における手前側を右方向、奥側を左方向とし、図１における上下方向を上下方向と定める。
【００１４】
本実施形態の光ファイバー用コンセントは、図１に示すように、雄側の光コネクタである光プラグ１（図４参照）が抜き差し可能な雌側の光コネクタである光レセプタクル２をケース３に収納して構成される。ケース３は合成樹脂材料により略直方体状に形成されるもので、壁面などの施工面に下面を対向させる形で固定されるとともに上面側に光レセプタクル２が装着されるボディ４と、ボディ４及び光レセプタクル２の上面側を覆う形でボディ４に着脱自在に結合されるカバー５とで構成される。
【００１５】
光プラグ１及び光レセプタクル２は、例えばＳＣ形光コネクタ（ＪＩＳ  Ｃ５９７３で規定されたＦ０４形単心光ファイバコネクタ）を構成するもので、スライドロック構造のプッシュオン形締結構造を備えている。尚、光プラグ１は周知であって本発明の要旨に関わるものではないので、ここでは詳細な説明を省略する。
【００１６】
光レセプタクル２は、略直方体状のハウジング２０の内部に、図示しないがフェルール、スリーブ、割りスリーブ等を収納して成る。ハウジング２０は、前部側の外周面が後部側の外周面より突出して形成され、ハウジング２０の前面には光プラグ１が抜き差し可能な開口部２１が設けられている。ハウジング２０の後面には、光ファイバーケーブル１０の先端に取り付けられたプラグ１０ａを抜き差し可能なケーブル用開口部２２が設けられており、該ケーブル接続口２２にプラグ１０ａを挿入することで光プラグ１と光学的に接続される（図２（ｂ）参照）。尚、本実施形態では光ファイバーケーブル１０を光レセプタクル２に接続するために、施工性を考慮して光ファイバーケーブル１０の先端に取り付けられたプラグ１０ａを光レセプタクル２に装着するようにしており、該プラグ１０ａを含めて雌側の光コネクタを構成している。プラグ１０ａには、該プラグ１０ａの後部と光ファイバーケーブル１０の外皮とを覆う略直方体状の外皮把持部６が取付けられており、光ファイバーケーブル１０とプラグ１０ａとの連結部を固定している。またハウジング２０の前部側の外周面の後方における左右両側には、外側に突出するフランジ２３が設けられている。
【００１７】
ボディ４は、上面が開口した箱体に形成され、前面には上方に突出する正面壁４０が突設され、正面壁４０の中央には矩形状の開口窓４０ａが設けられている。ボディ４の前方には光レセプタクル２が装着される装着部４１が形成され、ボディ４の短手方向における装着部４１の前方の左右両側には、上方へ突出する平板状の主片４３ａと、主片４３ａの上端縁よりボディ４の内側に向けて突出する係止突片４３ｂとから成る鈎形の係止片４３がそれぞれ２つずつ、計４つ形成されている。これら係止片４３の間に光レセプタクル２のフランジ４３を上方からそれぞれスライドして嵌合し、係止突片４３ｂによってハウジング２０を係止することで光レセプタクル２が装着部４１に装着される。尚、光レセプタクル２は、ボディ４の開口窓４０ａを通して光レセプタクル２の開口部２１に光プラグ１を抜き差しできるように装着される。ボディ４の後面には、複数箇所（図示では３箇所）にノックアウト部４６が設けられており、何れかのノックアウト部４６を切り取ることで孔部を開口し、外部からの光ファイバーケーブル１０をケース３内に導くためのケーブル挿通孔としている。
【００１８】
また、装着部４１の後方の左右両側にはそれぞれボス部４２が形成され、各ボス部４２にはボディ４を上下に貫通する取付孔４２ａがそれぞれ形成されている。この取付孔４２ａを通してネジ（図示せず）を木質壁などの施工面（図示せず）に螺合することでボディ４を施工面に固定する。尚、施工面がスチール製である場合（例えば、事務机等に取り付ける場合）には、ボディ４の背面に着脱自在に取り付けられるマグネット（図示せず）を施工面に磁着させればよい。
【００１９】
カバー５は、下面が開口した箱体に形成され、光レセプタクル２が装着された状態のボディ４の上面側を覆っている。カバー５の前面側の周壁には短手方向全長に渡る開口部５０が設けられている。
【００２０】
次に、本実施形態におけるボディ４とカバー５の結合構造について説明する。図１に示すように、ボディ４の長手方向に沿った両端部の正面壁４０寄りの部位には、カバー５が被さる被着面（上面）と一定の間隔を空けて対向し且つボディ４の長手方向と略平行に延長されたレール部４４がそれぞれ上方へ突設されている。このレール部４４は、上方へ突出する平板状の主片４４ａと、主片４４ａの上端縁よりボディ４の外側に向けて突出する係合突片４４ｂとを有する鈎形に形成されている。
【００２１】
一方、カバー５の長手方向に沿った両端部の内側面には、カバー５をボディ４の上面に沿って長手方向にスライド移動させたときにレール部４４の係合突片４４ｂと係合する係合片（図示せず）がそれぞれ設けられている。
【００２２】
したがって、係合片が係合突片４４ｂと重ならないようにしてボディ４の上面にカバー５を被せた状態でボディ４の正面壁４０に近付く向き（以下、「装着向き」と呼ぶ）にカバー５をスライド移動させると、係合片と係合突片４４ｂとが係合することでボディ４にカバー５を装着して両者を結合することができる（図３参照）。また、カバー５をボディ４から取り外すには、カバー５を装着向きと逆向きにスライド移動させて係合片と係合突片４４ｂとの係合状態を解除することにより、カバー５をボディ４から取り外すことができる。
【００２３】
また、カバー５をスライド移動させてボディ４の上面に被着した状態でロックされ、ケース３の上下方向及び左右方向に沿ってボディ４の上面からカバー５が離脱するのを防ぐロック手段がボディ４及びカバー５に設けてある。このロック手段は、カバー５に設けられた一対のロック用突部（図示せず）と、ボディ４に設けられ、カバー５をスライド移動させたときにロック用突部と各別に嵌合する一対のロック用嵌合部４５とから成る。
【００２４】
ロック用突部は、カバー５の後面側の周壁に長手方向内向きに突出する形で突設されている。ロック用嵌合部４５は、ボディ４の後面に当接して上方に突設されており、それぞれボディ４の長手方向外向きに開口するロック用嵌合孔（図示せず）が形成されている。
【００２５】
而して、ボディ４の上面に被せた状態でカバー５を装着向きにスライド移動すると、カバー５のロック用突部がボディ４のロック用嵌合部４５に形成されたロック用嵌合孔と係合するので、ボディ４及びカバー５の結合強度が強くなる。
【００２６】
以下、本実施形態における光レセプタクル２及び外皮把持部６をそれぞれ固定する固定手段について図２を用いて説明する。図２（ａ）に示すように、ボディ４の各ボス部４２の後方には、平面視略コ字状の当接部８がそれぞれ上方に突設されており、これら当接部８は、光レセプタクル２が装着された状態において外皮把持部６を挟持する。したがって、外皮把持部６を左右方向において固定することができる。
【００２７】
また、図２（ｂ）に示すように、ボディ４には、ボディ４の長手方向に沿って設けられた複数の突条（図示では３つ）から成る固定部７が、カバー５には、図示しないがカバー５の長手方向に沿って設けられた複数の突条（本実施形態では２つ）から成る固定部７がそれぞれ形成されている。これら突条は左右方向において等間隔に設けられ、階段状に形成されている。具体的には、ボディ４の固定部７の突条は、ボディ４とカバー５が結合している状態において、前部が光レセプタクル２のハウジング２０後部の下面と、後部が外皮把持部６の下面と当接するように形成され、カバー５の固定部７の突条は、ボディ４とカバー５が結合している状態において、前部が光レセプタクル２のハウジング２０前部の上面と、中央部が光レセプタクル２のハウジング２０後部の上面と、後部が外皮把持部６の上面と当接するように形成されている。したがって、光レセプタクル２及び外皮把持部６と上下方向に当接することで挟持し、光レセプタクル２及び外皮把持部６を上下方向において固定することができる。
【００２８】
さらに、カバー５の固定部７の後方には、図２（ｂ）に示すように、下方に突設する止め部９が設けられており、該止め部９は、ボディ４とカバー５が結合している状態において、外皮把持部６の後面と当接する。したがって、外皮把持部６を前後方向において固定することができる。
【００２９】
上述のように、固定部７、当接部８、止め部９を設けることで、光レセプタクル２及び外皮把持部６を確実に固定することができ、したがって光ファイバーケーブル１０を引張る等して生じる外力によって光レセプタクル２及び外皮把持部６の固定されている部分が緩むのを防ぐことができる。
【図面の簡単な説明】
【００３０】
【図１】本発明の実施形態の光ファイバー用コンセントを示す分解斜視図である。
【図２】同上を示す図で、（ａ）は上面透視図で、（ｂ）はＡ−Ａ線断面矢視図で、（ｃ）は裏面図で、（ｄ）は正面図である。
【図３】同上の全体斜視図である。
【図４】同上の光プラグを取り付けた場合を示す図で、（ａ）は上面図で、（ｂ）は右側面図である。
【符号の説明】
【００３１】
１  雄側の光コネクタ（光プラグ）
２  雌側の光コネクタ（光レセプタクル）
３  ケース
４  ボディ
５  カバー
６  外皮把持部
７  固定部
８  当接部
９  止め部
【図１】
2007192933.tif 000003
【図２】
2007192933.tif 000004
【図３】
2007192933.tif 000005
【図４】
2007192933.tif 000006